(57)【要約】【課題】知的労働の生産性に優れた環境を保持しつつ荷物の収納機能に優れた複合家具を提供する。【解決手段】家具は、椅子ユニット６とアウターパネル１３とを有している。椅子ユニット６は、座１と背もたれ２と脚板３，４，５とサイドパネル７及びバックパネル８とを備えている。座１の左右片側又は両側に、小物を載せうる台板１１が配置されている。アウターパネル１３は側板１３ａと背板１３ｂとを有しており、背板１３ｂとバックパネル８と間に物品収納空間１４が形成されている。サイドパネル７とバックパネル８とアウターパネル１３とは着座者が隠れる程度の高さであるため、人は作業に集中できる。物品収納空間１４があるため、多くの荷物があっても、問題なく収納できる。【選択図】図１
2017131572.tif 000002
【特許請求の範囲】
【請求項１】
座及び背もたれを備えた椅子ユニットを有しており、
前記椅子ユニットの左右いずれか片側又は左右両側若しくは後ろ側に、前記椅子ユニットとその外側に位置したアウターパネルとで囲われた物品収納空間が形成されている、
複合家具。
【請求項２】
前記アウターパネルは、前記椅子ユニットの左右いずれかの側に位置した側板と、前記側板の後ろに一体に繋がっている背板とを有しており、前記椅子ユニットの後面と前記アウターパネルの背板との間に、前記物品収納空間が左側又は右側と上方とに開口するように形成されている、
請求項１に記載した複合家具。
【請求項３】
前記アウターパネルは、前記椅子ユニットの後ろに位置した背板と、前記背板の左右両側から手前に向けて延びる左右の側板とを有しており、前記左右側板間の左右間隔を前記椅子ユニットの左右間隔よりも大きい寸法に設定することにより、前記椅子ユニットの背面部にアウターパネルの背板を重ねた状態で、椅子ユニットの左側又は右側若しくは左右両側に前記物品収納空間を形成している、
請求項１に記載した複合家具。
【請求項４】
前記椅子ユニットの左右両側のうち少なくとも片方に、物を載置可能な台板を設けており、前記台板の下方は手前に開口した補助収納部になっている、
請求項２又は３に記載した複合家具。
【請求項５】
前記椅子ユニットの手前側に、少なくともノートパソコンを載せ得る程度の大きさのテーブル板が配置されており、前記テーブル板は、前記インナーパネル又はアウターパネルに取り付けられている、
請求項１〜４のうちのいずれかに記載した複合家具。
【請求項６】
請求項２に記載した複合家具の複数台を、隣り合った着座者の向きが逆向きになる状態で左右に重ねて並設しており、一方の複合家具の物品収納空間が他方の複合家具の前方部に横から開口している、
複合家具の組み合わせ。
【発明の詳細な説明】
【技術分野】
【０００１】
本願発明は、椅子ユニットを主体とした複合家具（或いは複合什器）に関するものであり、オフィスで執務用として使用できるタイプを主たる対象にしている。
【背景技術】
【０００２】
従来、オフィスでの執務用家具として机と椅子がセットで使用されており、例えば、一人用又は複数人用の机を左右に並べて、多数人が一列に並んで執務を行うスタイルが多かった。机の列を背中合わせに配置することもよく行われている。これらの伝統的なワーキングスタイルでは、特定の人が特定の席を使用するという固定アドレス方式が一般的である。
【０００３】
しかし、近年、オフィスでのワーキングスタイルが大きく変貌しつつある。例えば、特定の席を持たずに、好きな席について仕事をするフリーアドレス方式（ノンテリトアル方式）や、１人用に独立した席で執務するスタイル、或いは、複数人が使用できる席が固まっているグループワーキングスタイルなどである。
【０００４】
これらのワーキングスタイルの変化の背景の一つとして、作業ツールとしてのノートパソコンやタブレット端末などの情報機器の小型化がある。つまり、これらノートパソコンやタブレット端末は持ち運び自在であるため、特定の席で執務する必要性が無くなり、その結果、フリーアドレス方式が大きく進展している。
【０００５】
他の背景として、ワーカーの創作能力を引き出すための環境作りが進んだことが挙げられる。すなわち、ワーカーの創作能力を高めて知的生産性を上げるには、思索に集中できる環境やリラックスできる環境、或いは、同僚等と討議等して知的刺激を受けることが容易な環境が必要であり、そこで、席の独立化やグループ化が進展している。従って、目的に応じて席を選択できるようにするのが好ましい。
【０００６】
ワーカーの集中力やリラックス性との関係では、ワーカーを取り巻く環境のクローズド性とオープン性とのバランスが重要である。例えば、完全な個室であると、外からの刺激が薄れ過ぎて緊張感が無くなり、却って生産性が落ちてしまうことが多い。他方、広いフロアーに点在しているテーブルを使用して１人で執務する場合のように、過度にオープンな環境であると、他人の動きや会話で気が散ったり他人の視線が気になったりするため、思索に集中し難いのみならず、他人に遠慮してリラックスした姿勢（例えば背伸びや瞑想）も取りづらいと云える。
【０００７】
さて、オフィスで考慮すべきは、荷物の置き場である。すなわち、ワーカーはカバンや書類などの携帯していることが一般的であり、作業用家具には、これらの荷物を収納できる機能が求められる。執務に際して上着やコートを脱ぐことも一般的であるので、脱いだ上着やコートを見栄えのよい状態で収納できること必要である。
【０００８】
そこで、実際に提案されている家具（什器）に眼をやると、オープン性が高くて物品収納機能も備えた家具として、例えば特許文献１がある。すなわち、特許文献１は、ソファタイプの椅子に、肘当てとテーブル板とを専用するサイドテーブルを設け、更に、背もたれを跳ね上げ回動式として、背もたれの後ろに物品収納部を設けている。
【０００９】
また、着座者の手前に配置されたテーブル板を備えたソファとして、特許文献２がある。すなわちこの特許文献２では、座１の下方に水平回動式のアームを設けて、アームから立設した支柱にテーブル板を取り付けている。
【００１０】
他方、クローズド性が高い家具として、例えば特許文献３がある。この特許文献３は、平面視卍形に配置された間仕切壁で空間を仕切って４つの作業空間を形成したものであり、各作業空間には作業用の天板を取り付けている。この特許文献３では、使用者は、出入り口を背にして、間仕切壁に向いて作業を行うことになる。
【先行技術文献】
【特許文献】
【００１１】
【特許文献１】特開２０００−１０３０２２号公報
【特許文献２】特開平１０−２１５９８０号公報
【特許文献３】実開平０５−２９３６８号公報
【発明の概要】
【発明が解決しようとする課題】
【００１２】
特許文献１は、いわばソファ（椅子）自体に物品収納部を設けるものであり、スペースの有効利用という点では優れているが、物品の出し入れに際して背もたれを跳ね上げなければならないため、使い勝手においてまだ改良の余地があると云える。
【００１３】
また、特許文献１は、例えばホテルのロビーに設置するソファや応接室に設置するソファのように、人が短時間しか使用しないものを想定しており、そこで、ノートパソコンはサイドテーブルで使用するようになっているが、長時間にわたって横向きでノートパソコンを使用することはできないので、執務用家具には転用し難い。
【００１４】
他方、特許文献２は、着座した人の前方にテーブル板があるため、作業性には優れているが、カバン等の荷物の置き場はないため不便であり、これも、執務用家具に転用できるとは言い難い。また、特許文献２では、アームが床面に沿って配置されているため、これが人の邪魔になるという厄介な問題もある。
【００１５】
特許文献１，２は、フロアーにオープン状態で配置するソファを対象にしたものであるためクローズド性は考慮していない。他方、特許文献３は、執務用として一種の個室状空間を形成したものであるが、クローズド性が高すぎて知的生産性の向上が不十分になるおそれがある。また、特許文献３は、通常の机と同様の大きさの天板を間仕切壁で三方から囲った状態になるため、簡便さにも欠けている。
【００１６】
本願発明はこのような現状を改善すべく成されたものであり、物品収納性に優れて執務用として好適な斬新な複合家具を提供せんとするものである。
【課題を解決するための手段】
【００１７】
本願発明は、各請求項で特定された様々な構成を含んでいる。このうち請求項１の発明に係る複合家具は、座及び背もたれを備えた椅子ユニットを有しており、前記椅子ユニットの左右いずれか片側又は左右両側若しくは後ろ側に、前記椅子ユニットとその外側に位置したアウターパネルとで囲われた物品収納空間が形成されている。
【００１８】
請求項２の発明は請求項１の展開例であり、この発明では、前記アウターパネルは、前記椅子ユニットの左右いずれかの側に位置した側板と、前記側板の後ろに一体に繋がっている背板とを有しており、前記椅子ユニットの後面と前記アウターパネルの背板との間に、前記物品収納空間が左側又は右側と上方とに開口するように形成されている。
【００１９】
請求項３の発明も請求項１の展開例であり、この発明では、前記アウターパネルは、前記椅子ユニットの後ろに位置した背板と、前記背板の左右両側から手前に向けて延びる左右の側板とを有しており、前記左右側板間の左右間隔を前記椅子ユニットの左右間隔よりも大きい寸法に設定することにより、前記椅子ユニットの背面部にアウターパネルの背板を重ねた状態で、椅子ユニットの左側又は右側若しくは左右両側に前記物品収納空間を形成している。
【００２０】
請求項４の発明は、請求項２又は３において、前記椅子ユニットの左右両側のうち少なくとも片方に、物を載置可能な台板を設けており、前記台板の下方は手前に開口した補助収納部になっている。
【００２１】
請求項５の発明は、請求項１〜４のうちのいずれかにおいて、前記椅子ユニットの手前側に、少なくともノートパソコンを載せ得る程度の大きさのテーブル板が配置されており、前記テーブル板は、前記インナーパネル又はアウターパネルに取り付けられている。
【００２２】
請求項６の発明は、請求項２の複合家具の組み合わせに関するものである。すなわち、請求項２に記載した複合家具の複数台を、隣り合った着座者の向きが逆向きになる状態で左右に重ねて並設しており、一方の複合家具の物品収納空間が他方の複合家具の前方部に横から開口している。
【発明の効果】
【００２３】
本願発明では、椅子ユニットの横に物品収納空間が形成されているため、カバンや書類等の物品（荷物）はこの物品収納空間に収納できる。従って、荷物の置き場に困るようなことはなくて、ユーザーフレンドリーである。しかも、物品収納空間は椅子ユニットの外側に設けたものであるため、物品の出し入れは容易である。また、アウターパネルが荷物のカバーとしての機能するため、荷物の保護機能にも優れている。
【００２４】
また、例えば、アウターパネルを着座者の頭が隠れる程度の高さにすることにより、使用者の作業空間に適宜のクローズド性を確保することができる。これにより、作業に集中できる環境作りに貢献できる。
【００２５】
請求項２のように、椅子ユニットの三方を脚板で囲って椅子ユニットを構成すると、椅子ユニットに高い安定性を保持させるができる。また、請求項２では、椅子ユニットの後ろに物品収納空間を設けているが、この構成を採用すると、物品収納空間の高さ及び左右奥行きとも大きくする取ることができるため、物品収納空間の容積を大きくして多くの荷物を奥ことができ（従って、人が携帯している荷物だけでなく、各種備品類を収納しておくこともできる。）。
【００２６】
請求項３の構成では、椅子ユニットの横に物品収納空間が形成されるため、荷物を出し入れしやすい利点がある。また、アウターパネルを右にずらしたり左にずらしてたりして、物品収納空間の位置を左右に変更することも簡単に実現できる。このため、融通性が高くて使い勝手がよい。
【００２７】
請求項４のように台板を設けると、台板に小物を載せることができるため、物を整理することができて重宝である。また、台板を着座した人の腕が載る高さに設定すると、人は台板に腕を載せてノートパソコンのキーやマウスを操作することが可能になるため、作業性の向上にも貢献できる（くつろいだ姿勢でノートパソコンを操作することによって、知的作業の能率を向上できる。）。更に、台板の下方は前向きに開口した補助収納部になっているため、カバンや上着等の荷物の収納機能が一層優れている。
【００２８】
座に腰掛けたノートパソコンを使用して執務を行う場合、ノートパソコンを膝の上に載せて操作することも可能であるが、これは長時間の作業には不向きである。この点、請求項５のようにテーブル板を設けると、長時間の作業も普通に行うことができる。従って、請求項５の発明は、オフィスに設置する執務用家具として好適である。
【００２９】
本願発明の家具は、単独で使用することもできるし、複数台を並べて使用することもできる。この場合、請求項２の家具のレイアウトとして、請求項５のように、２つの家具を前後逆向きにして左右に並設すると、一方の家具の物品収納空間が他方の家具の使用者の前方に開口しているため、家具の使用者が他方の家具の物品収納空間を使用することにより、荷物をいわば目の届く所に置けるため、荷物の管理機能に優れている。しかも、左右に隣り合った人の向きが異なるため、プライバシーの確保機能にも優れている。
【図面の簡単な説明】
【００３０】
【図１】第１実施形態を示す図で、（Ａ）は斜視図、（Ｂ）は平面図、（Ｃ）はテーブル板９の連結構造の一例を示す平面図、（Ｄ）は変形例の部分斜視図である。
【図２】（Ａ）は第１実施形態の家具を左右に並設した状態の平面図、（Ｂ）は物品収納空間の開口方向を左右逆にした家具を左右に並設した状態の平面図である。
【図３】テーブル板の取り付け構造の別例である第２実施形態であり、（Ａ）は平面図、（Ｂ）は斜視図である。
【図４】第３実施形態を示す図で、（Ａ）は平面図、（Ｂ）は（Ａ）のＢ−Ｂ視断面図、（Ｃ）は（Ｂ）のうちＣで示した個所での台板の連結部の断面図、（Ｄ）は台板の支持手段の別例の断面図である。
【図５】（Ａ）は第４実施形態の平面図、（Ｂ）は第４実施形態の変形例である第５実施形態の平面図である。
【発明を実施するための形態】
【００３１】
次に、本願発明の実施形態を図面に基づいて説明する。本願では、方向を特定するため前後・左右の文言を使用するが、この前後・左右の方向は、椅子ユニットに普通に腰掛けた人の向きを基準にしている。正面視は、着座した人と相対向した方向から見た状態である。
【００３２】
(1).第１実施形態の構造
まず、図１，２に示す第１実施形態を説明する。まず、図１を参照して構造を説明する。図１（Ａ）に示すように、本実施形態の家具は、座１と背もたれ２とを有しており、座１の左右両側に鉛直姿勢のサイド脚板３，４を配置し、座１の後ろには後ろ脚板５を配置している。左右のサイド脚板３，４は、手前に向けて間隔が広がるように、平面視ハ字の形態に配置されている。
【００３３】
座１は、例えば座板にクッション材を張った構造であり、サイド脚板３，４にステー材やブラケットを介して取り付けられている。また、背もたれ２は、例えば背板にクッション材を張った構造であり、後ろ脚板５に取り付けられている。
【００３４】
そして、座１及び背もたれ２並びに各脚板３，４，５を中核として、椅子ユニット６が構成されている（ヘッドレストを設けてもよい。）。サイド脚板３，４と後ろ脚板５とは、一体に繋がっていてもよいし、互いに分離していてもよい。また、椅子ユニット６は、棒材製やパイプ製の脚材で座１を支持した構成であってもよい。座１と背もたれ２とは一体に繋がっていてもよい。更に、背もたれ２は、弾性手段に抗して後傾動するロッキング構造であってもよいのであり、この場合は、背もたれ２の後傾動に連動して座１が前進する構成を採用することも可能である。
【００３５】
椅子ユニット６は、更に、右側のサイド脚板３に重なったサイドパネル７と、背もたれ２の後ろに位置したとバックパネル８を有しており、これらサイドパネル７とバックパネル８とは、着座者の身体が隠れる程度の高さに設定されている。本実施形態では、サイドパネル７とバックパネル８も椅子ユニット６の一部を構成しているが、サイドパネル７とバックパネル８とは、椅子ユニット６とは別の要素（例えば囲い枠ユニット）として観念することも可能である。
【００３６】
サイドパネル７とバックパネル８とは一体に繋がっている。サイドパネル７のうち、サイド脚板３，４と略同じ程度の高さよりも上の部分は、大きく切除された切り開き部９になっており、この切り開き部９に、乳白色の樹脂板のように透光性はあるが不透明な遮蔽板１０を装着している。但し、薄い遮蔽板１０を設けずに、サイドパネル７の全体を等しい厚さに設定してもよい。遮蔽板１０は、スクリーン状（膜状）であってもよい。
【００３７】
サイドパネル７は椅子ユニット６の一方の側（右側）だけに設けており、椅子ユニット６の他方の側（左側）には、水平状の台板１１を設けている。台板１１には、スマートフォンやタブレット端末等の通信情報機器、ノートパソコン、書類、書籍、筆記具、時計、好みのマスコットなどの各種小物を載置できる。本実施形態では、台板１１は、人の肘を載せ得る高さ及び左右横幅に設定している。従って、台板１１を肘当てとして使用することも可能である。
【００３８】
台板１１の下方には、前向きに開口した補助収納部１２が形成されている。カバンや上着のように置きっぱなしになる物は、補助収納部１２に配置するとよい。台板１１は、左脚板３に固定してもよいし、ヒンジを介して開閉可能に連結してもよい。また、台板１１は左右両側に設けることも可能である。
【００３９】
家具は、椅子ユニット６の外側に配置されたアウターパネル１３を備えている。図１（Ａ）に示すように、アウターパネル１３は、台板１１の外端面に重なる側板１３ａと、バックパネル８との間に間隔を空けて配置された背板１３ｂとを有しており、バックパネル８と背板１３ｂとの間に物品収納空間１４が形成されている。アウターパネル１３はサイドパネル７及びバックパネル８と同じ高さになっており、バックパネル８の先端は、アウターパネル１３の側板１３ａに当接している。
【００４０】
アウターパネル１３の側板１３ａには、サイドパネル７の切り開き部９と対称形状の切り開き部９′が形成されており、この切り開き部９′に、サイドパネル７と同様の遮蔽板１０を装着している。台板１１の外端は、アウターパネル１３の側板１３ａに連結することができる。
【００４１】
図１（Ｄ）に変形例として示すように、椅子ユニット６の左側にも、バックパネル８と一体化したサイドパネル７′を設けて、左右のサイドパネル７，７′に切り開き部９′を形成することも可能である。この場合は、アウターパネル１３の側板１３ａは、バックパネル８の後ろに位置して、前後幅は短くなる。
【００４２】
いずれにしても、アウターパネル１３は椅子ユニット６に連結してもよいし、単に床上に載置しただけであってもよい。同様に、サイドパネル７（，７′）及びバックパネル８も、脚板４に固定してもよいし、単に床上に載置しただけであってもよい。サイドパネル７（，７′）とバックパネル８とを、椅子ユニット６とは異なる囲い枠ユニットとして観念すると、本実施形態は、椅子ユニット６、囲い枠ユニット、アウターパネル１３の３つのユニットで構成されていると云える。
【００４３】
家具は、ノートパソコンを載置可能で筆記作業を行える程度の大きさのテーブル板１５を備えているのが好ましい。このテーブル板１５は、椅子ユニット６とは独立したテーブルとすることも可能であるし、椅子ユニット６に一体に連結することも可能である。図１（Ａ）では、テーブル板１５を左脚板３に水平回動可能に連結した状態が、一点鎖線で表示されている。このテーブル板１５は台板１１と略同じ程度の幅になっており、キャスタ付きの足体１５ａを有する。従って、高い安定性がある。
【００４４】
図１（Ｃ）では、テーブル板１５の連結構造をより具体化的に表示している。すなわち、左脚板３の前端に中間リンク１６を第１ヒンジ１７にて水平回動自在に連結し、中間リンク１６の先端に、テーブル板１５が第２ヒンジ１８で水平回動自在に連結されている。中間リンク１６は補助収納部１２を塞ぐ方向に回動させることができるため、テーブル板１５は、台板１１の手前に突出した姿勢に水平回動（旋回）させることができる。また、第２ヒンジ１８の存在により、使用者はテーブル板１５を引き寄せることができる。
【００４５】
（Ｃ）に一点鎖線で示すように、中間リンク１６のうち第１ヒンジ１７と反対側の部分を切り欠いておくなどすると、テーブル板１５を使用者の側に平行移動させることができて、使い勝手が一層高くなる。
【００４６】
物品収納空間１４には、一段又は複数段の棚板１９を装架することができる。棚板１９は着脱式であってもよいし、固定式であってもよい。複数段の棚板１９を設ける場合は、例えば最下段の棚板は固定式にして、その他の棚板は着脱式にすることも可能である。
【００４７】
(2).第１実施形態のまとめ
本実施形態では、使用者は、サイドパネル７、バックパネル８、及びアウターパネル１３の側板１３ａによって三方から囲われている。そして、これらは使用者の頭が隠れる程度の高さであるため、他人の視線を気にせずに作業に集中できる。また、家具の前方は開放されており、人は開放された方向に向いて作業を行うため、外からの適度の刺激を受けることが可能であると共に、同僚等とのコミュニケーションも取りやすい。
【００４８】
従って、本実施形態の家具は、クローズド性とオーブン性とが調和して、高い知的生産性を実現できる環境になっていると云える。また、物品収納空間１４に荷物や備品類を収納できるのみならず、台板１１及び補助収納部１２にも荷物を配置できるため、荷物の置き場に困るようなことはない。従って、フリーアドレス方式のワーキングシステムに使用する場合でも、好適である。
【００４９】
本実施形態のように、座１を手前に向けて広がる台形状に形成していると、テーブル板１５を座１の手前に位置させていても、テーブル板１５の横の身体を出入りさせる空間を形成しやすくなるため、着席・離席に際して一々テーブル板１５を水平旋回させる必要がなくて、使い勝手がよいという利点である。
【００５０】
さて、例えば、通常の一人用椅子は、使用者の最大横幅と同じ程度の左右横幅である。従って、左右の脚板（或いはサイドパネル）を備えた状態でテーブル板を設けていると、テーブル板を跳ね上げないと人は着座・離席することができない。これでは使い勝手が悪い。
【００５１】
これに対して本願実施形態では、座は、通常の椅子の１．５倍程度の横幅があるため、テーブル板１５を右か左に寄せておくことにより、テーブル板１５の横に人が出入りできる空間を空けることができる。また、座１とテーブル板１５との間には、人が横から足を差し込みできる程度の間隔が空いている。従って、テーブル板１５を跳ね上げ式にしなくても、人は着座・離席することができる。従って、テーブル板１５にノートパソコン等の物品を載せたままで、席を立ったり座ったりすることができる。このため、使い勝手が非常によい。
【００５２】
しかも、本実施形態のように椅子ユニット６を平面視台形に形成すると、座１の上の空間が前広がりになるため、人は着座に際して身体を滑り込ませやすいと共に、離席に際しては身体を離しやすくなる。従って、着座・離席の容易性は一層高くなる。また、視覚面（心理面）からも、着座・離席が容易で使いやすい椅子部という印象も強い。なお、サイド脚板３，４を座１の手前に突出させることも可能であるが、この場合は、平面視台形に形成することによる着座・離席の容易性は一層顕著に表れると云える。
【００５３】
また、使用者の前方と上方とは開放されているのみならず、遮蔽板１０は透光性があるため、専用の灯具を設けなくても、室内の照明だけでも必要な照度を確保可能である。この点も本実施形態の利点である。但し、より明るい環境を好む人もいるので、オプションとして灯具を取り付けることは可能である。灯具は、例えば、サイドパネル７の前端部や、アウターパネル１３における側板１３ａの前端部に取り付けることができる。
【００５４】
図２では、２つの家具を、向きを前後逆にして左右に並設している。（Ａ）は図１の態様の家具を並設しており、（Ｂ）では、台板１１が使用者の左に位置している。いずれにしても、一方の家具の使用者の前方に、他方の家具の物品収納空間１４が横から開口している。従って、使用者は、隣の人が使用している家具の物品収納空間１４を使用することになっているが、物品収納空間１４は人のすぐ横に開口しているため、自分の荷物を目が届くところで管理できる。従って、安心である。荷物の出し入れに際して一々後ろに回り込む必要がない点でも優れている。
【００５５】
図２（Ｂ）に一点鎖線で示すように、台板１１の前方に、座１の前方に突出したフロント体２０を配置し、フロント体２０にテーブル板１５を取り付けることも可能である。テーブル板１５は、フロント体２０に、前後位置調節可能に取り付けたり、水平旋回可能に取り付けたりするのが好ましい。
【００５６】
(3).他の実施形態
図３では、第２実施形態を示している。この実施形態は第１実施形態の変形例であり、物品収納空間１４をテーブル板１５の取り付けに利用している。すなわち、物品収納空間１４の中途高さ位置に中間棚板２２を固定的に配置して、中間棚板２２の下面に、ガイドレール１９ａを介してテーブル板１５を左右移動自在に装着している。テーブル板１５には、キャスター付きの足体１５ａを設けているが、強度が許せば足体１５ａは必要ない。中間棚板２２の下方にも荷物を載置できる。
【００５７】
図４では、第３実施形態を示している。この実施形態では、椅子ユニット６は、座１と背もたれ２と左右のサイド脚板３，４及び後ろ脚板５とを備えており、サイド脚板３，４及び後ろ脚板５とは一体に繋がっている。また、図４（Ｂ）に示すように、サイド脚板３，４及び後ろ脚板５とは、人の肘が載る程度の高さになっている。本実施形態でも、椅子ユニット６は、手前に向けて左右横幅が大きくなる平面視台形状に形成されている。
【００５８】
椅子ユニット６の外側には、アウターパネル１３が配置されている。アウターパネル１３は、左右の側板１３ａとこれが一体に繋がった背板１３ｂとを有しており、平面視略コ字形の形態を成している。また、左右の側板１３ａには、第１実施形態と同様に切り開き部９′が形成されて、これに遮蔽板１０を装着している。背板１３ｂを後ろ脚板５に重ねた状態で、左右側板１３ａの前端がサイドパネル７の前端と揃うように設定している。
【００５９】
そして、アウターパネル１３の左右側板１３ａの間隔寸法は、椅子ユニット６における左右脚板３，４の間隔寸法よりもある程度の大きい寸法に設定している。従って、一方の側板１３ａを一方の脚板３，４に重ねると、他方の側板１３ａと他方の脚板３，４との間に物品収納空間１４が形成される。物品収納空間１４は上下に開口したままでもよいが、（Ａ）に一点鎖線で示して（Ｂ）に実線で示すように、脚板３，４の上端に台板１１を連結して、物品収納空間１４を塞ぐことも可能である。
【００６０】
（Ｃ）（Ｄ）では、台板１１の外端をアウターパネル１３の側板１３ａに連結する構造の例を示している。このうち（Ｃ）では、側板１３ａの内面に空所２３を形成して、この空所２３を板材２４で塞ぎ、板材２４に形成した係合穴２５に、台板１１に設けた係合爪２６を嵌合させている。従って、この実施形態では、側板１３ａの切り開き部９′は、台板１１の少し上に形成している。
【００６１】
他方、（Ｄ）に示す例では、台板１１の外縁が、側板１３ａの切り開き部９′の上面に載っている。更に、ずれ防止のための念のための手段として、切り開き部９′には上下開口の係合穴２７を形成し、台板１１の側部に設けたストッパー突起２８を係合穴２７に嵌め入れている。テーブル板１５を設ける場合は、図４（Ａ）に部分的に示すうに、フロント体２０を設けて、フロント体２０にテーブル板１５を取り付けたらよい。
【００６２】
図５に示す第３実施形態は、図４に示した実施形態の変形例であり、この実施形態では、アウターパネル１３における一方の側板１３ａを座１の手前に突出させてフロントパネル２９を形成し、このフロントパネル２９に、テーブル板１５を水平回動可能に連結している。
【００６３】
連結手段としては、フロントパネル２９の内側面に上下のブラケット３０を突設し、このブラケット３０に、テーブル板１５に固定された支軸３１を回転自在に挿通している。テーブル板１５には、安定性を確保するために足体１５ａを設けている。
【００６４】
（Ａ）では、物品収納空間１４（及び台板１１）を設けた側の側板１３ａにテーブル板１５を取り付けており、（Ｃ）では、物品収納空間１４とは反対側の側板１３ａにテーブル板１５を取り付けている。図４，５の実施形態では、椅子ユニット６の左右片側だけに物品収納空間１４（及び台板１１）を設けているが、椅子ユニット６の左右両側に物品収納空間１４（及び台板１１）を設けることも可能である。また、図５ではアウターパネル１３は単なる板状に表示しているが、他の実施形態と同様に、少なくとも側板１３ａに切り欠き部９′を形成して、これに遮蔽板１０を配置することも可能である。
【００６５】
以上、本願発明の実施形態を説明したが、本願発明は他にも様々に具体化できる。
【産業上の利用可能性】
【００６６】
本願発明は、椅子部を主体とした複合家具に具体化できる。従って、産業上利用できる。
【符号の説明】
【００６７】
１  座
２  背もたれ
３，４  サイド脚板
５  後ろ脚板
６  椅子ユニット
７  サイドパネル
８  バックパネル
１０  遮蔽板
１１  台板
１２  補助収納部
１３  アウターパネル
１３ａ  側板
１３ｂ  背板
１４  物品収納空間
１５  テーブル板
【図１】
2017131572.tif 000003
【図２】
2017131572.tif 000004
【図３】
2017131572.tif 000005
【図４】
2017131572.tif 000006
【図５】
2017131572.tif 000007